(57)【要約】【課題】  煩雑な巡回等を必要とせずに、気泡が存在する場合の安全性をさらに高めることが可能な気泡成長度合い特定装置を提供する。【解決手段】  気泡成長度合い特定装置５０は、流動体中の気泡を特定する気泡特定部５１と、気泡特定部５１により特定された気泡の成長を促す成長因子を検出する気泡成長因子検出部５２と、気泡成長因子検出部５２により検出された成長因子に基づいて、気泡特定部５１により特定された気泡の将来における成長度合いを気泡成長に先立って特定する気泡成長度合い特定部５４と、気泡成長度合い特定部５４により特定された気泡の成長度合いをユーザに提示するための提示部５５とを備える。【選択図】        図１
2006087545.tif 000002
【特許請求の範囲】
【請求項１】
流動体中の気泡を特定する気泡特定手段と、
前記気泡特定手段により特定された気泡の成長を促す成長因子を検出する気泡成長因子検出手段と、
前記気泡成長因子検出手段により検出された成長因子に基づいて、前記気泡特定手段により特定された気泡の将来における成長度合いを気泡成長に先立って特定する気泡成長度合い特定手段と、
前記気泡成長度合い特定手段により特定された気泡の成長度合いをユーザに提示するための提示手段と
を備えることを特徴とする気泡成長度合い特定装置。
【請求項２】
前記気泡成長因子検出手段が検出する成長因子には、前記気泡特定手段により特定された気泡の大きさと、特定された気泡の成長を促す他の成長因子とが少なくとも含まれ、
前記気泡成長度合い特定手段は、前記気泡の大きさと、前記他の成長因子とに基づいて、特定された気泡の成長度合いを特定する
ことを特徴とする請求項１記載の気泡成長度合い特定装置。
【請求項３】
前記気泡成長度合い特定手段は、
前記気泡の大きさと、前記他の成長因子と、特定された気泡の成長度合いとの経験に基づく関係を示す経験値データを予め記憶するデータ記憶手段と、
前記データ記憶手段に記憶されたデータを用いて、特定された気泡の成長度合いの予測値を取得する予測値取得手段とを備える
ことを特徴とする請求項２記載の気泡成長度合い特定装置。
【請求項４】
前記データ記憶手段は、前記気泡の大きさと、前記他の成長因子と、特定された気泡の成長度合いとの経験に基づく関係を示す経験値データをテーブルで予め記憶し、
前記予測値取得手段は、前記テーブルを参照して、特定された気泡の成長度合いの予測値を取得する
ことを特徴とする請求項３記載の気泡成長度合い特定装置。
【請求項５】
前記データ記憶手段は、前記気泡の大きさと、前記他の成長因子と、特定された気泡の成長度合いとの経験に基づく関係を示す経験値データを、前記気泡の大きさと、前記他の成長因子とを変数として気泡の成長度合いを計算するための関数式として予め記憶し、
前記予測値取得手段は、前記関数式を用いて、特定された気泡の成長度合いの予測値を取得する
ことを特徴とする請求項３記載の気泡成長度合い特定装置。
【請求項６】
前記予測値取得手段は、前記特定された気泡の成長度合いの予測値として、気泡成長速度、検出された気泡の大きさの許容最大値に対する割合および当該許容最大値に成長するまでに要する時間の少なくとも１つを取得する
ことを特徴とする請求項３〜５のいずれか１項記載の気泡成長度合い特定装置。
【請求項７】
前記提示手段は、表示手段を有し、
前記表示手段は、前記予測値取得手段が取得した気泡成長速度、検出された気泡の大きさの許容最大値に対する割合および当該許容最大値に成長するまでに要する時間の少なくとも１つを表示する
ことを特徴とする請求項６記載の気泡成長度合い特定装置。
【請求項８】
前記提示手段は、音声およびデータの少なくとも１つの形式でユーザに通知するための通知手段を有し、
前記通知手段は、前記予測値取得手段が取得した気泡成長速度、検出された気泡の大きさの許容最大値に対する割合および当該許容最大値に成長するまでに要する時間の少なくとも１つを通知する
ことを特徴とする請求項６または７記載の気泡成長度合い特定装置。
【請求項９】
前記気泡成長度合い特定装置は、さらに
前記気泡成長度合い特定手段により特定された気泡の成長度合いに基づいて外部機器の駆動を制御する外部機器駆動制御手段を備える
ことを特徴とする請求項１〜８のいずれか１項記載の気泡成長度合い特定装置。
【請求項１０】
前記他の成長因子には、前記流動体に溶存する溶存酸素濃度が少なくとも含まれ、
前記気泡成長度合い特定手段は、前記気泡の大きさと、前記溶存酸素濃度とに基づいて、特定された気泡の成長度合いを特定する
ことを特徴とする請求項２〜請求項９のいずれか１項記載の気泡成長度合い特定装置。
【請求項１１】
前記他の成長因子には、前記特定された気泡と他の気泡との間の気泡間距離が少なくとも含まれ、
前記気泡成長度合い特定手段は、前記気泡の大きさと、前記気泡間距離とに基づいて、特定された気泡の成長度合いを特定する
ことを特徴とする請求項２〜請求項９のいずれか１項記載の気泡成長度合い特定装置。
【請求項１２】
前記気泡成長度合い特定装置は、さらに、前記溶存酸素濃度および前記気泡間距離のいずれかを含む他の気泡成長因子を選択する因子選択手段を備える
ことを特徴とする請求項１０または１１記載の気泡成長度合い特定装置。
【請求項１３】
前記気泡成長度合い特定手段は、気泡の成長を促す成長因子を含む想定される所定の環境における気泡の成長度合いの推定値を記憶し、前記記憶された推定値を参照して前記検出された気泡成長因子にて示される所定の環境における気泡の成長度合いとして特定する
ことを特徴とする請求項１記載の気泡成長度合い特定装置。
【請求項１４】
流動体中の気泡を特定する気泡特定ステップと、
前記気泡特定ステップにより特定された気泡の成長を促す成長因子を検出する気泡成長因子検出ステップと、
前記気泡成長因子検出ステップにより検出された成長因子に基づいて、前記気泡特定ステップにより特定された気泡の将来における成長度合いを気泡成長に先立って特定する気泡成長度合い特定ステップと、
前記気泡成長度合い特定ステップにより特定された気泡の成長度合いをユーザに提示するための提示ステップとを
コンピュータに実行させる
ことを特徴とするプログラム。
【請求項１５】
コンピュータに、
流動体中の気泡を特定する気泡特定ステップと、
前記気泡特定ステップにより特定された気泡の成長を促す成長因子を検出する気泡成長因子検出ステップと、
前記気泡成長因子検出ステップにより検出された成長因子に基づいて、前記気泡特定ステップにより特定された気泡の将来における成長度合いを気泡成長に先立って特定する気泡成長度合い特定ステップと、
前記気泡成長度合い特定ステップにより特定された気泡の成長度合いをユーザに提示するための提示ステップと
を実行させるためのプログラムを記録したコンピュータ読み取り可能な記録媒体。
【発明の詳細な説明】
【技術分野】
【０００１】
本発明は、血管内に留置した針に接続された送液ラインを含む液体搬送システム等に好適な気泡成長度合い特定装置等に関する。
【背景技術】
【０００２】
輸液や輸血、あるいは体外循環等の体内外への液体搬送回路において、その送液状態を確認したり、制御したりするために、点滴筒と称する液溜まりと気層とを分離する部品が用いられる。送液状態は、点滴筒上部の気層部分にある流出口から、点滴筒下部の液面に液滴を滴下することで確認したり、制御したりしている。しかしながら、このような形態では、液滴が直接液面に滴下し、その際、液溜まり内の液に気層中の気体を巻き込んでしまう。そのため、液体搬送回路内の液の溶存気体が増加し、送液中の環境温度の上昇によって、経時的に溶存気体が気泡として回路内に析出してくるという問題がある。
【０００３】
このような点滴筒内での気体の巻き込み回避の方法として、直接液滴が液面に落下しないようにする工夫が従来から考えられている（例えば、特許文献１，２参照）。この従来技術によれば、液滴が点滴筒の内壁面を伝わって液中に流れ入ることになり、気体の巻き込みが抑制されることになる。
【０００４】
しかしながら、このように、点滴筒によって気泡の巻き込みをなくしたとしても、また、液体搬送回路に点滴筒がない場合でも、環境温度の変化に伴って溶存気体量が変動し、気泡が回路の内壁面に付着する場合がある。このような気泡は、そのままの大きさで人体に入ることには何ら問題はないが、気泡と溶存気体等とが集合したり、気泡同士が集合したりして大きい気泡にまで成長すると人体にもたらす影響は大きいと思われる。したがって、従来から、このような気泡が気泡検出器で検知されると、輸液ポンプを停止して送液を停止することで、人体への害を未然に防止する工夫（安全性への配慮）がなされている。この従来の気泡検出器では、予め定められた大きさの気泡を検知した瞬間に警報を発し、輸液ポンプと連動してこれを停止させるようにしている。つまり、人体に害がある大きさにまで気泡が成長して初めて警報が発せられる（例えば、特許文献３参照）。
【特許文献１】実願平４−５５９２８号公報（第１頁、第１図）
【特許文献２】特開昭６０−１１６３６９号公報（第１頁、第１図）
【特許文献３】特開平１１−１３７６７６号公報（第１頁、第１図）
【発明の開示】
【発明が解決しようとする課題】
【０００５】
しかしながら、上記のようにすると十分に安全性は確保されるが、従来では、送液ポンプを停止したり、点滴筒の構造を改変していただけであるので、ナースが患者の所まで頻繁に巡回して異常がないか確認し、回路に気泡が仮に詰まった場合にはナースが回路を叩くなどの気泡除去の操作をするなどの処置をする必要があり、処置に手間がかかることになった。
【０００６】
そこで、本発明は、煩雑な巡回等を必要とせずに、気泡が存在する場合の安全性をさらに高めることが可能な気泡成長度合い特定装置を提供することを目的としている。
【課題を解決するための手段】
【０００７】
ここで、本願出願人は、流動体中の気泡が気泡の大きさと溶存酸素濃度とに基づいて成長したり、気泡の大きさと気泡間距離とに基づいて成長したりすることを発見し、気泡の大きさ、溶存酸素濃度、気泡間距離等の気泡の成長を促す成長因子を検出することにより特定した気泡の成長を精度よく予測できることを考案するに至った。
【０００８】
そこで上記課題を解決するために、本発明に係る気泡成長度合い特定装置においては、流動体中の気泡を特定する気泡特定手段と、前記気泡特定手段により特定された気泡の成長を促す成長因子を検出する気泡成長因子検出手段と、前記気泡成長因子検出手段により検出された成長因子に基づいて、前記気泡特定手段により特定された気泡の将来における成長度合いを気泡成長に先立って特定する気泡成長度合い特定手段と、前記気泡成長度合い特定手段により特定された気泡の成長度合いをユーザに提示するための提示手段とを備えることを特徴とする。
【０００９】
また、本発明に係る気泡成長度合い特定装置においては、前記気泡成長因子検出手段が検出する成長因子には、前記気泡特定手段により特定された気泡の大きさと、特定された気泡の成長を促す他の成長因子とが少なくとも含まれ、前記気泡成長度合い特定手段は、前記気泡の大きさと、前記他の成長因子とに基づいて、特定された気泡の成長度合いを特定することを特徴とすることができる。
【００１０】
また、本発明に係る気泡成長度合い特定装置においては、前記気泡成長度合い特定手段は、前記気泡の大きさと、前記他の成長因子と、特定された気泡の成長度合いとの経験に基づく関係を示す経験値データを予め記憶するデータ記憶手段と、前記データ記憶手段に記憶されたデータを用いて、特定された気泡の成長度合いの予測値を取得する予測値取得手段とを備えることを特徴とすることもできる。
【００１１】
また、本発明に係る気泡成長度合い特定装置においては、前記データ記憶手段は、前記気泡の大きさと、前記他の成長因子と、特定された気泡の成長度合いとの経験に基づく関係を示す経験値データをテーブルで予め記憶し、前記予測値取得手段は、前記テーブルを参照して、特定された気泡の成長度合いの予測値を取得することを特徴とすることもできる。
【００１２】
また、本発明に係る気泡成長度合い特定装置においては、前記データ記憶手段は、前記気泡の大きさと、前記他の成長因子と、特定された気泡の成長度合いとの経験に基づく関係を示す経験値データを、前記気泡の大きさと、前記他の成長因子とを変数として気泡の成長度合いを計算するための関数式として予め記憶し、前記予測値取得手段は、前記関数式を用いて、特定された気泡の成長度合いの予測値を取得することを特徴とすることもできる。
【００１３】
また、本発明に係る気泡成長度合い特定装置においては、前記予測値取得手段は、前記特定された気泡の成長度合いの予測値として、気泡成長速度、検出された気泡の大きさの許容最大値に対する割合および当該許容最大値に成長するまでに要する時間の少なくとも１つを取得することを特徴とすることもできる。
【００１４】
また、本発明に係る気泡成長度合い特定装置においては、前記提示手段は、表示手段を有し、前記表示手段は、前記予測値取得手段が取得した気泡成長速度、検出された気泡の大きさの許容最大値に対する割合および当該許容最大値に成長するまでに要する時間の少なくとも１つを表示することを特徴とすることもできる。
【００１５】
また、本発明に係る気泡成長度合い特定装置においては、前記提示手段は、音声およびデータの少なくとも１つの形式でユーザに通知するための通知手段を有し、前記通知手段は、前記予測値取得手段が取得した気泡成長速度、検出された気泡の大きさの許容最大値に対する割合および当該許容最大値に成長するまでに要する時間の少なくとも１つを通知することを特徴とすることもできる。
【００１６】
また、本発明に係る気泡成長度合い特定装置においては、前記気泡成長度合い特定装置は、さらに前記気泡成長度合い特定手段により特定された気泡の成長度合いに基づいて外部機器の駆動を制御する外部機器駆動制御手段を備えることを特徴とすることもできる。
【００１７】
また、本発明に係る気泡成長度合い特定装置においては、前記他の成長因子には、前記流動体に溶存する溶存酸素濃度が少なくとも含まれ、前記気泡成長度合い特定手段は、前記気泡の大きさと、前記溶存酸素濃度とに基づいて、特定された気泡の成長度合いを特定することを特徴とすることができる。
【００１８】
また、本発明に係る気泡成長度合い特定装置においては、前記他の成長因子には、前記特定された気泡と他の気泡との間の気泡間距離が少なくとも含まれ、前記気泡成長度合い特定手段は、前記気泡の大きさと、前記気泡間距離とに基づいて、特定された気泡の成長度合いを特定することを特徴とすることもできる。
【００１９】
また、本発明に係る気泡成長度合い特定装置においては、前記気泡成長度合い特定装置は、さらに、前記溶存酸素濃度および前記気泡間距離のいずれかを含む他の気泡成長因子を選択する因子選択手段を備えることを特徴としてもよい。
【００２０】
また、本発明に係る気泡成長度合い特定装置においては、前記気泡成長度合い特定手段は、気泡の成長を促す成長因子を含む想定される所定の環境における気泡の成長度合いの推定値を記憶し、前記記憶された推定値を参照して前記検出された気泡成長因子にて示される所定の環境における気泡の成長度合いとして特定することを特徴とすることができる。
【００２１】
なお、本発明は、このような気泡成長度合い特定装置として実現することができるだけでなく、このような気泡成長度合い特定装置が備える特徴的な手段をステップとする気泡成長度合い特定方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのはいうまでもない。
【発明の効果】
【００２２】
以上の説明から明らかなように、本発明の気泡成長度合い特定装置によれば、流動体中の気泡を特定する気泡特定手段と、前記気泡特定手段により特定された気泡の成長を促す成長因子を検出する気泡成長因子検出手段と、前記気泡成長因子検出手段により検出された成長因子に基づいて、前記気泡特定手段により特定された気泡の将来における成長度合いを気泡成長に先立って特定する気泡成長度合い特定手段と、前記気泡成長度合い特定手段により特定された気泡の成長度合いをユーザに提示するための提示手段とを備える構成であるので、気泡の大きさが許容最大値になる前に、巡回の時期等の目安、例えば気泡成長速度、検出された気泡の大きさの許容最大値に対する割合および当該許容最大値に成長するまでに要する時間等を知らせることが可能になる。したがって、煩雑な処置を必要とせずに、気泡が存在する場合の安全性をさらに高めることができる。
【００２３】
よって、本発明により、医療の安全性が高くなり、医療の安全性が望まれる今日における本願発明の実用的価値は極めて高い。
【発明を実施するための最良の形態】
【００２４】
ここで、本願発明に係る気泡成長度合い特定装置の構成を図面を用いて説明する。
図１は、本願発明に係る気泡成長度合い特定装置５０の全体構成を示す機能ブロック図である。
【００２５】
図１に示されるように、気泡成長度合い特定装置５０は、流動体中の気泡を特定する気泡特定部５１、気泡特定部５１により特定された気泡の成長を促す成長因子を検出する気泡成長因子検出部５２と、気泡成長因子検出部５２により検出された成長因子に基づいて、気泡特定部５１により特定された気泡の将来における成長度合いを、気泡成長に先立って特定する気泡成長度合い特定部５４と、気泡成長度合い特定部５４により特定された気泡の成長度合いをユーザに提示するための提示部５５と、気泡成長度合い特定部５４により特定された気泡の成長度合いに基づいて外部機器５７の駆動を制御する外部機器駆動制御部５６とを備えて構成される。
【００２６】
気泡特定部５１は、例えば発信素子と受信素子との組み合わせや、発光素子と受光素子や、ＣＣＤなどの２次元イメージセンサとの組み合わせで構成され、輸液などの流動体中の気泡成長度合いを予測する対象となる気泡を特定する。
【００２７】
気泡成長因子検出部５２が検出する成長因子には、気泡特定部５１により特定された気泡の大きさ５２０と、流動体に溶存する溶存酸素濃度５２２とが少なくとも含まれる。気泡の大きさ５２０を検出する検出部としては、気泡特定部５１と同様に、例えば発信素子と受信素子との組み合わせや、発光素子と受光素子や、ＣＣＤなどの２次元イメージセンサとの組み合わせで構成され、気泡の大きさを検出するようにすればよい。また、溶存酸素濃度５２２を検出する検出部としては、既存の溶存酸素濃度検出センサを用いることができる。
【００２８】
また、気泡成長因子検出部５２が検出する成長因子には、気泡特定部５１により特定された気泡の大きさ５２０と、特定された気泡と他の気泡との間の気泡間距離５２３とが少なくとも含まれ、気泡成長度合い特定部５４は、気泡の大きさ５２０と、気泡間距離５２３とに基づいて、特定された気泡の成長度合いを特定する構成としてもよい。気泡の大きさ５２０および気泡間距離５２３を検出する検出部としては、気泡特定部５１と同様に、例えば発信素子と受信素子との組み合わせや、発光素子と受光素子や、ＣＣＤなどの２次元イメージセンサとの組み合わせで構成され、気泡の大きさおよび気泡間距離を検出するようにすればよい。
【００２９】
気泡成長度合い特定部５４は、気泡の大きさ５２０と、溶存酸素濃度５２２と、特定された気泡の成長度合いとの関係を示すテーブルを予め記憶するテーブル記憶部５４１と、テーブル記憶部５４１に記憶されたテーブルを参照して、特定された気泡の成長度合いの予測値を取得する予測値取得部５４２とを備えて構成される。また、気泡の大きさ５２０と、気泡間距離５２３と、特定された気泡の成長度合いとの関係を示すテーブルを予め記憶するテーブル記憶部５４１と、テーブル記憶部５４１に記憶されたテーブルを参照して、特定された気泡の成長度合いの予測値を取得する予測値取得部５４２とを備えて構成してもよい。テーブル記憶部５４１は上記テーブルを記憶するメモリ等により構成することができる。予測値取得部５４２は、ＣＰＵ等により構成される。
【００３０】
ここで、気泡成長度合い特定部５４を、気泡の大きさ５２０と、溶存酸素濃度５２２とを変数として気泡の成長度合いを計算するための関数式を予め記憶する関数式記憶部５４３と、関数式記憶部５４３に記憶された関数式を用いて、特定された気泡の成長度合いを予測計算する予測計算部５４４とを備える構成としてもよい。また、気泡成長度合い特定部５４を、気泡の大きさ５２０と、気泡間距離５２３とを変数として気泡の成長度合いを計算するための関数式を予め記憶する関数式記憶部５４３と、関数式記憶部５４３に記憶された関数式を用いて、特定された気泡の成長度合いを予測計算する予測計算部５４４とを備える構成としてもよい。関数式記憶部５４３は上記関数式を記憶するメモリ等により構成することができる。予測計算部５４４は、ＣＰＵ等により構成される。
【００３１】
予測値取得部５４２や、予測計算部５４４は、特定された気泡の成長度合いの予測値として、気泡成長速度、検出された気泡の大きさ５２０の許容最大値に対する割合および当該許容最大値に成長するまでに要する時間の少なくとも１つを取得する。
【００３２】
提示部５５は、表示部５５１を有し、表示部５５１は、予測値取得部５４２や、予測計算部５４４が取得した気泡成長速度、検出された気泡の大きさ５２０の許容最大値に対する割合および当該許容最大値に成長するまでに要する時間の少なくとも１つを表示する。表示部５５１としては、ＣＲＴや、液晶等を用いた表示器により構成することができる。
【００３３】
また提示部５５は、音声およびデータの少なくとも１つの形式でユーザに通知するための通知部５５２を有し、通知部５５２は、予測値取得部５４２や、予測計算部５４４が取得した気泡成長速度、検出された気泡の大きさ５２０の許容最大値に対する割合および当該許容最大値に成長するまでに要する時間の少なくとも１つを通知する構成としてもよい。通知部５５２としては、音声再生するスピーカや、データ通信するためのネットワークなどの通信インターフェースにより、構成することができる。
【００３４】
なお、気泡成長因子検出部５２は、気泡の成長を促す成長因子として、上記気泡の大きさ５２０および溶存酸素濃度５２２の他、流動体温度５２１や、気泡間距離５２３、流動体粘度５２４、流動体速度５２５を検出するようにしてもよい。また、気泡成長因子検出部５２は、気泡の成長を促す成長因子として、上記気泡の大きさ５２０および気泡間距離５２３の他、流動体温度５２１や、溶存酸素濃度５２２、流動体粘度５２４、流動体速度５２５を検出するようにしてもよい。この場合には、気泡成長度合い特定装置５０は、さらに、気泡の大きさ５２０および溶存酸素濃度５２２あるいは気泡の大きさ５２０および気泡間距離５２３と、他の気泡成長因子とを選択する因子選択部５３を備える構成としてもよい。そして、テーブル記憶部５４１や、関数式記憶部５４３には、これらの成長因子に合わせたテーブルおよび関数式を記憶すればよい。
【００３５】
また、ここでは、気泡成長度合い特定装置５０のフルスペックの構成について説明したが、気泡成長度合い特定装置５０を気泡特定部５１、気泡成長因子検出部５２、気泡成長度合い特定部５４および提示部５５だけで構成してもよく、必要に応じて外部機器駆動制御部５６や因子選択部５３を付加する構成としてもよい。
【００３６】
以下、本発明の実施の形態に係る気泡成長度合い特定装置５０を輸液ラインシステムに適用した場合を例にして図面を用いて詳細に説明する。
【００３７】
（実施の形態１）
図２は、本実施の形態における輸液ラインシステム１の全体構成を示すブロック図である。
【００３８】
図２に示されるように、輸液ラインシステム１は、輸液バッグ１１と、輸液セット１０と、輸液ポンプ１３等とから構成される。
【００３９】
輸液バッグ１１は、輸液を貯留する。
輸液セット１０は、輸液導入針や、静脈針の他、透明な合成樹脂製の点滴筒１５と、可撓性を有する透明な樹脂で形成され、輸液導入針、点滴筒１５および静脈針を連結するためのチューブ状の輸液ライン１４，１６，１７とから構成される。
【００４０】
輸液ポンプ１３には、輸液ライン１４，１６，１７のいずれかが装着され、輸液を輸液バッグ１１側から人体側へ所定量ずつ送液する。なお、輸液ポンプ１３は、点滴筒１５の輸液貯めにおいて輸液の溶存酸素濃度を検出する溶存酸素濃度検出センサ１２９等によって構成される気泡成長度合い特定装置としての機能を有している。ここで、溶存酸素濃度検出センサ１２９としては、酸素濃度検出器で用いられる隔膜型ガルバニ電池式センサや、隔膜型ポーラログラフ式センサ等、公知のセンサを用いることができる。なお、輸液には酸素の他、窒素等の気体、つまり大気が溶存しているが、大気を構成する成分の割合が一定であるので、溶存酸素濃度を検出することは溶存気体を検出することを意味することになる。
【００４１】
次いで、輸液ポンプ１３の構成について説明する。
図３は、輸液ポンプ１３の外観構成を示す図である。
【００４２】
図３に示されるように、輸液ポンプ１３は、上述した溶存酸素濃度検出センサ１２９の他、気泡検出器１３１と、温度検出センサ１２４と、フィンガー部１３２、チューブ閉塞部１３３と、チューブを保持する一対のチューブホルダ１３４，１３５と、タッチパネル式表示部１３６と、筐体内部に設けられる制御部１２０等とを備えて構成される。
【００４３】
また、輸液ポンプ１３のドア内面部には、輸液ラインをガイドして保持するためのガイド部材１３７と、ポンプ機能を得るために輸液ラインをフィンガー部１３２に押圧して押し込むための押圧部材１３８が設けられている。なお、ここではフィンガー部１３２で輸液チューブを挟んで輸液を所定量ずつ送液する構成を示しているが、ローラー等で輸液チューブをしごくことにより輸液を所定量ずつ送液する構成であってもよい。
【００４４】
このような構成によれば、輸液ラインを長形溝のチューブホルダ１３４に押し込み、輸液ラインを真っ直ぐに延ばしながら長形溝のチューブホルダ１３５に軽く押し込み、ドアを閉めるだけで輸液ラインをフィンガー部１３２に確実に装着できる。そして、ドアを閉めて、電源スイッチをオンし、タッチパネルを操作して所望の輸液量をセットし、輸液開始を指示すると、制御部１２０は、フィンガー部１３２のフィンガーによるチューブの圧閉動作を順次制御する。これによって、チューブ内の輸液が人体側へ所定量ずつ送液される。
【００４５】
なお、輸液ポンプ１３の構成要素の内、溶存酸素濃度検出センサ１２９、気泡検出器１３１、表示器１３６および制御部１２０によって本願発明に係る気泡成長度合い特定装置が構成される。つまり、気泡成長度合い特定装置は、輸液ポンプと一体的に構成されている。このような構成により装置を簡素化することができる。
【００４６】
気泡検出器１３１は、図４に示されるように、例えばチューブに向けて超音波を発生する発信素子１３１ａと、チューブを介する超音波を受信する受信素子１３１ｂとからなり、輸液中の気泡の有無を、その大きさを含めて精度よく検出できるように構成されている。なお、気泡検出器１３１を超音波プローブ等で構成してもよい。
【００４７】
温度検出センサ１２４は、チューブに流れる輸液の温度を検出する。
制御部１２０は、図５に示されるように、例えば、温度検出センサ１２４、溶存酸素濃度検出センサ１２９、気泡検出器１３１などの検出結果を入力するための複数（図示３つ）の入力ポート１２０１，１２０２，１２０３と、表示器１３６への表示や、フィンガー部１３２およびチューブ閉塞部１３３を駆動するための複数（図示３つ）の出力ポート１２１１，１２１２，１２１３と、内部にプログラムおよび気泡成長速度を予測するための所定の温度毎の複数のテーブル１２２０を予め保持するＲＯＭ１２２１と、プログラム実行時にワークエリアを提供するＲＡＭ１２３１と、時刻を計時するタイマ１２４１と、プログラムを実行するＣＰＵ１２５１等とを内部に備える１チップマイクロコンピュータであり、輸液搬送および気泡成長速度の予測を統括的に制御する。
【００４８】
図６は、図５に示されるテーブル１２２０の構成例を示す図である。なお、図示例では、輸液の温度が２０℃の場合が示されている。
【００４９】
ここで、発明者らは、気泡の成長が気泡周りに存在する気体が気泡に溶け込んでくることにより促進されることから、気泡の大きさが大で、溶存酸素濃度が大であるほど、気泡の成長速度が早くなることに着目し、気泡の大きさと、溶存酸素濃度とで気泡成長速度を予測することができることに想到し、実験データを収集した。また、温度で溶解量が変化するものにあっては、温度によっても気泡の成長が気泡周りに存在する気体が気泡に溶け込んでくることにより促進されることから、気泡の大きさが大で、溶存酸素濃度が大で、温度が高いほど、気泡の成長速度が早くなることに着目し、気泡の大きさと、溶存酸素濃度と、温度とで気泡成長速度を予測することができることに想到し、実験データを収集した。
【００５０】
図６に示されるように、テーブル１２２０は、温度と、気泡の大きさと、溶存酸素濃度とをパラメータして、気泡成長速度を予測するための実験データの一例を格納したテーブルであって、所定の温度毎に、気泡の大きさと、溶存酸素濃度とをパラメータして、気泡成長速度が求められるように予め構成されている。
【００５１】
したがって、特定された気泡の大きさが許容最大値になる前に、温度と、気泡の大きさと、溶存酸素濃度とを検出することで、温度に応じたテーブル１２２０を用いて、気泡の大きさと、溶存酸素濃度とから極めて簡単に気泡成長速度を予測することが可能となる。
【００５２】
なお、ここでは気泡の大きさと溶存酸素濃度とをフィールドとする２次元のテーブルを温度毎に設けるようにしたが、温度と、気泡の大きさと、溶存酸素濃度とをフィールドとする３次元のテーブルとして構成してもよい。
【００５３】
また、気泡成長速度は、気泡の大きさが大で、溶存酸素濃度が大で、温度が高いほど、その速度が速くなる関数式、つまり関数Ｆ（気泡の大きさ，溶存酸素濃度，温度）の式で表されるので、この関数式をＲＯＭ１２２１に格納しておき、検出した温度と、気泡の大きさと、溶存酸素濃度とにより関数式で計算することで、気泡成長速度を予測するようにしてもよい。また、この計算の際にテーブル１２２０を用いて、気泡成長速度を予測するようにしてもよい。
【００５４】
次いで、制御部１２０のＣＰＵ１２５１による気泡成長予測処理について説明する。
図７は、ＣＰＵ１２５１が実行する気泡成長予測処理の動作を示すフローチャートである。
【００５５】
送液を開始すると、制御部１２０のＣＰＵ１２５１は、気泡検出器１３１の受信素子１３１ｂの超音波の受信レベルに基づいて、輸液中の気泡の大きさを入力する（Ｓ１１）。
【００５６】
そして、気泡の大きさ（ライン中の長さ）が予め定めたしきい値Ｔｈ１（例えば、人体に入るのが許容される、許容最大値である５ｍｍ）未満であるか否か判断する（Ｓ１２）。
【００５７】
判断の結果、しきい値Ｔｈ１未満である場合（Ｓ１２でｙｅｓ）、ＣＰＵ１２５１は、溶存酸素濃度検出センサ１２９により検出された溶存酸素濃度を入力する（Ｓ１３）。気泡の大きさおよび溶存酸素濃度の入力が終わると、ＣＰＵ１２５１は、温度検出センサ１２４によって検出された温度に対応するテーブル１２２０を参照し、気泡成長速度を予測する（Ｓ１４）。そして、ＣＰＵ１２５１は、予測結果を表示器１３６に表示し（Ｓ１５）、気泡の大きさの入力処理（Ｓ１１）に戻る。
【００５８】
図８は、表示器１３６に表示される一例を示す図である。
図８に示されるように、表示器１３６には「気泡成長速度は遅いです。（０．１５ｍｍ／分）」、「現在、許容最大値の２０％です。」、「あと３０分後（ＰＭ８：００）に許容最大値になります。」の３つの情報が表示される。なお、この表示については、ケースに応じて表示内容を変えるようにしてもよい。
【００５９】
このような表示が行われると、この表示をみたナースは、従来のように輸液中の患者の所へ何度も巡回して輸液の様子をみたり、チューブを叩いたりしなくてもよく、気泡の大きさが許容最大値になる前に、次の巡回の時期等の目安を得ることができる。
【００６０】
一方、判断の結果、しきい値Ｔｈ１以上であると（Ｓ１２でｎｏ）、ＣＰＵ１２５１は、フィンガー部１３２のフィンガーによるチューブの圧閉動作を停止させるとともに、チューブ閉塞部１３３を駆動して輸液ラインを閉塞し、送液を中止する。これにより、ＪＩＳ規格で定められ、人体に危険な「５（＋１，−０）ｍｍ」の気泡の注入が確実に防止される。
【００６１】
（実施の形態２）
次いで、本発明の他の実施の形態について説明する。
【００６２】
図９は、本実施の形態における輸液ラインシステム２の全体構成を示すブロック図である。なお、輸液ラインシステム１の構成と対応する部分に同じ番号を付し、その説明を省略する。
【００６３】
図９に示されるように、輸液ラインシステム２は、輸液ラインシステム１の輸液ポンプ１３に代えて、輸液ポンプ２３を用いて構成される。
【００６４】
すなわち、輸液ポンプ２３は、図１０に示されるように、溶存酸素濃度検出センサ１２９および気泡検出器１３１に代えて気泡検出器２３１が、制御部１２０に代えて制御部２２０がそれぞれ用いられて構成される。なお、輸液ポンプ２３の構成要素の内、気泡検出器２３１、表示器１３６および制御部２２０によって本願発明に係る気泡成長度合い特定装置が構成される。
【００６５】
気泡検出器２３１は、図１１に示されるように、例えばチューブに向けて光を発生する発光素子２３１ａと、チューブを介する光を受光するＣＣＤ２３１ｂとからなり、輸液中の気泡の有無を、その大きさおよび気泡間の距離を含めて精度よく検出できるように構成されている。
【００６６】
制御部２２０は、図１２に示されるように、例えば、温度検出センサ１２４、気泡検出器２３１などの検出結果を入力するための複数（図示２つ）の入力ポート１２０１，１２０３と、表示器１３６への表示や、フィンガー部１３２およびチューブ閉塞部１３３を駆動するための複数（図示３つ）の出力ポート１２１１．１２１２，１２１３と、内部にプログラムおよび気泡成長速度を予測するためのテーブル２２２０を予め保持するＲＯＭ２２２１と、プログラム実行する際にワークエリアを提供するＲＡＭ１２３１と、時刻を計時するタイマ１２４１と、プログラムを実行するＣＰＵ１２５１等とを内部に備える１チップマイクロコンピュータであり、輸液搬送および気泡成長速度の予測を統括的に制御する。
【００６７】
図１３は、図１２に示されるテーブル２２２０の構成例を示す図である。なお、図示例では、輸液の温度が２０℃の場合が示されている。
【００６８】
ここで、発明者らは、気泡の成長が気泡周りに存在する気泡と衝突することにより促進されることから、気泡の大きさが大で、気泡間の距離が小であるほど、気泡の成長速度が早くなることに着目し、気泡の大きさと、気泡間の距離とで気泡成長速度を予測することができることに想到し、実験データを収集した。また、温度で溶解量が変化するものにあっては、温度によっても気泡の成長が気泡周りに存在する気体が気泡に溶け込んでくることにより促進されることから、気泡の大きさが大で、気泡間の距離が小で、温度が高いほど、気泡の成長速度が早くなることに着目し、気泡の大きさと、気泡間の距離と、温度とで気泡成長速度を予測することができることに想到し、実験データを収集した。
【００６９】
図１３に示されるように、テーブル２２２０は、温度と、気泡の大きさと、気泡間の距離とをパラメータして、気泡成長速度を予測するための実験データの一例を格納したテーブルであって、所定の温度毎に、気泡の大きさと、気泡間の距離とをパラメータして、気泡成長速度が求められるように予め構成されている。
【００７０】
したがって、特定された気泡の大きさが許容最大値になる前に、温度と、気泡の大きさと、気泡間の距離とを検出することで、温度に応じたテーブル２２２０を用いて、気泡の大きさと、気泡間の距離とから極めて簡単に気泡成長速度を予測することが可能となる。
【００７１】
なお、ここでは気泡の大きさと気泡間の距離とをフィールドとする２次元のテーブルを温度毎に設けるようにしたが、温度と、気泡の大きさと、気泡間の距離とをフィールドとする３次元のテーブルとして構成してもよい。
【００７２】
また、気泡成長速度は、気泡の大きさが大で、気泡間の距離が小で、温度が高いほど、その速度が速くなる関数式、つまり関数Ｆ（気泡の大きさ，気泡間の距離，温度）の式で表されるので、この関数式をＲＯＭ２２２１に格納しておき、検出した温度と、気泡の大きさと、気泡間の距離とにより関数式で計算することで、気泡成長速度を予測するようにしてもよい。また、この計算の際にテーブル２２２０を用いて、気泡成長速度を予測するようにしてもよい。
【００７３】
次いで、制御部２２０のＣＰＵ１２５１による気泡成長予測処理について説明する。
図１４は、ＣＰＵ１２５１が実行する気泡成長予測処理の動作を示すフローチャートである。
【００７４】
送液を開始すると、制御部２２０のＣＰＵ１２５１は、気泡検出器２３１のＣＣＤ２３１ｂを構成する各受光素子の受光レベルに基づいて、輸液中の気泡の大きさを入力する（Ｓ１１）。
【００７５】
そして、気泡の大きさ（ライン中の長さ）が予め定めたしきい値Ｔｈ１（例えば、人体に入るのが許容される、許容最大値である５ｍｍ）未満であるか否か判断する（Ｓ１２）。
【００７６】
判断の結果、しきい値Ｔｈ１未満である場合（Ｓ１２でｙｅｓ）、制御部２２０は、ＣＣＤ２３１ｂを構成する各受光素子の受光レベルに基づいて、気泡間の距離を入力する（Ｓ２３）。気泡の大きさおよび気泡間の距離の入力が終わると、制御部２２０は、温度検出センサ１２４によって検出された温度に対応するテーブル２２２０を参照し、気泡成長速度を予測する（Ｓ２４）。そして、制御部２２０は、予測結果を表示器１３６に表示し（Ｓ１５）、気泡の大きさの入力処理（Ｓ１１）に戻る。
【００７７】
ここで、表示器１３６には、実施の形態１の場合と同様に、図８に示される「気泡成長速度は遅いです。（０．１５ｍｍ／分）」、「現在、許容最大値の２０％です。」、「あと３０分後（ＰＭ８：００）に許容最大値になります。」の３つの情報が表示される。なお、この表示についても、ケースに応じて表示内容を変えるようにしてもよい。
【００７８】
このような表示が行われると、実施の形態１の場合と同様、この表示をみたナースは、従来のように輸液中の患者の所へ何度も巡回して輸液の様子をみたり、チューブを叩いたりしなくてもよく、気泡の大きさが許容最大値になる前に、次の巡回の時期等の目安を得ることができる。
【００７９】
一方、判断の結果、しきい値Ｔｈ１以上であると（Ｓ１２でｎｏ）、制御部２２０は、フィンガー部１３２のフィンガーによるチューブの圧閉動作を停止させるとともに、チューブ閉塞部１３３を駆動して輸液ラインを閉塞し、送液を中止する。これにより、ＪＩＳ規格で定められ、人体に危険な「５（＋１，−０）ｍｍ」の気泡の注入が確実に防止される。
【００８０】
（実施の形態３）
次いで、本発明のさらに他の実施の形態について説明する。
【００８１】
図１５は、本実施の形態における輸液ラインシステム３の全体構成を示すブロック図である。なお、輸液ラインシステム１，２の構成と対応する部分に同じ番号を付し、その説明を省略する。
【００８２】
図１５に示されるように、輸液ラインシステム３は、輸液ラインシステム１，２の輸液ポンプ１３，２３に代えて、輸液ポンプ３３を用いて構成される。
【００８３】
すなわち、輸液ポンプ３３は、溶存酸素濃度検出センサ１２９の他、図１６に示されるように、気泡検出器２３１や、制御部１２０，２２０に代えて制御部３２０がそれぞれ用いられて構成される。なお、輸液ポンプ３３の構成要素の内、溶存酸素濃度検出センサ１２９、気泡検出器２３１、表示器１３６および制御部３２０によって本願発明に係る気泡成長度合い特定装置が構成される。
【００８４】
制御部３２０は、図１７に示されるように、例えば、温度検出センサ１２４、溶存酸素濃度検出センサ１２９、気泡検出器２３１などの検出結果を入力するための複数（図示３つ）の入力ポート１２０１，１２０２，１２０３と、表示器１３６への表示や、フィンガー部１３２およびチューブ閉塞部１３３を駆動するための複数（図示３つ）の出力ポート１２１１．１２１２，１２１３と、内部にプログラムおよび気泡成長速度を予測するためのテーブル３２２０を予め保持するＲＯＭ３２２１と、プログラム実行する際にワークエリアを提供するＲＡＭ１２３１と、時刻を計時するタイマ１２４１と、プログラムを実行するＣＰＵ１２５１等とを内部に備える１チップマイクロコンピュータであり、輸液搬送および気泡成長速度の予測を統括的に制御する。
【００８５】
ここで、発明者らは、気泡成長速度は、溶存酸素濃度が大で、気泡の大きさが大で、気泡間の距離が小で、温度が高いほど、その速度が速くなり、気泡の大きさと、溶存酸素濃度と、気泡間の距離と、温度とで気泡成長速度を精度よく予測することができることに想到し、実験データを収集した。
【００８６】
テーブル３２２０は、溶存酸素濃度と、気泡の大きさと、気泡間の距離と、温度と、気泡成長速度との関係を示す３次元のデータであり、実験データに基づいて温度毎に作成される。
【００８７】
したがって、特定された気泡の大きさが許容最大値になる前に、温度と、気泡の大きさと、溶存酸素濃度と、気泡間の距離とを検出することで、温度に応じたテーブル３２２０を用いて、気泡の大きさと、気泡間の距離とから極めて簡単に気泡成長速度を予測することが可能となる。
【００８８】
なお、ここでは気泡の大きさと溶存酸素濃度と気泡間の距離とをフィールドとする３次元のテーブルを温度毎に設けるようにしたが、温度と、気泡の大きさと、溶存酸素濃度と、気泡間の距離とをフィールドとする４次元のテーブルとして構成してもよい。
【００８９】
また、気泡成長速度は、気泡の大きさが大で、溶存酸素濃度が大で、気泡間の距離が小で、温度が高いほど、その速度が速くなる関数式、つまり関数Ｆ（気泡の大きさ，溶存酸素濃度，気泡間の距離，温度）の式で表されるので、この関数式をＲＯＭ３２２１に格納しておき、検出した温度と、気泡の大きさと、溶存酸素濃度と、気泡間の距離とにより関数式で計算することで、気泡成長速度を予測するようにしてもよい。また、この計算の際にテーブル３２２０を用いて、気泡成長速度を予測するようにしてもよい。
【００９０】
次いで、制御部３２０のＣＰＵ１２５１による気泡成長予測処理について説明する。
図１８は、ＣＰＵ１２５１が実行する気泡成長予測処理の動作を示すフローチャートである。
【００９１】
送液を開始すると、制御部２２０のＣＰＵ１２５１は、気泡検出器２３１のＣＣＤ２３１ｂを構成する各受光素子の受光レベルに基づいて、輸液中の気泡の大きさを入力する（Ｓ１１）。
【００９２】
そして、気泡の大きさ（ライン中の長さ）が予め定めたしきい値Ｔｈ１（例えば、人体に入るのが許容される、許容最大値である５ｍｍ）未満であるか否か判断する（Ｓ１２）。
【００９３】
判断の結果、しきい値Ｔｈ１未満である場合（Ｓ１２でｙｅｓ）、制御部２２０は、ＣＰＵ１２５１は、溶存酸素濃度検出センサ１２９により検出された溶存酸素濃度を入力する（Ｓ１３）。気泡の大きさおよび溶存酸素濃度の入力が終わると、ＣＰＵ１２５１は、ＣＣＤ２３１ｂを構成する各受光素子の受光レベルに基づいて、気泡間の距離を入力する（Ｓ３３）。溶存酸素濃度、気泡の大きさおよび気泡間の距離の入力が終わると、ＣＰＵ１２５１は、温度検出センサ１２４によって検出された温度に対応するテーブル３２２０を参照し、気泡成長速度を予測する（Ｓ３４）。そして、制御部２２０は、予測結果を表示器１３６に表示し（Ｓ１５）、気泡の大きさの入力処理（Ｓ１１）に戻る。
【００９４】
ここで、表示器１３６には、実施の形態１の場合と同様に、図８に示される「気泡成長速度は遅いです。（０．１５ｍｍ／分）」、「現在、許容最大値の２０％です。」、「あと３０分後（ＰＭ８：００）に許容最大値になります。」の３つの情報が表示される。なお、この表示についても、ケースに応じて表示内容を変えるようにしてもよい。
【００９５】
このような表示が行われると、実施の形態１，２の場合と同様、この表示をみたナースは、従来のように輸液中の患者の所へ何度も巡回して輸液の様子をみたり、チューブを叩いたりしなくてもよく、気泡の大きさが許容最大値になる前に、次の巡回の時期等の目安を得ることができる。
【００９６】
一方、判断の結果、しきい値Ｔｈ１以上であると（Ｓ１２でｎｏ）、制御部２２０は、フィンガー部１３２のフィンガーによるチューブの圧閉動作を停止させるとともに、チューブ閉塞部１３３を駆動して輸液ラインを閉塞し、送液を中止する。これにより、ＪＩＳ規格で定められ、人体に危険な「５（＋１，−０）ｍｍ」の気泡の注入が確実に防止される。
【００９７】
なお、上記実施の形態１〜３においては輸液ラインを例にして実施したが、血液等の液体を搬送する液体搬送システムに適用できるのはいうまでもない。
【００９８】
また、上記実施の形態１〜３においては、気体の大きさおよび溶存酸素濃度を、気体の大きさおよび気泡間の距離を、溶存酸素濃度、気体の大きさおよび気泡間の距離を、それぞれパラメータとして関数データを求めたが、送液速度等の他のパラメータも考慮して関数データを求めるようにしてもよい。
【００９９】
また、気体の大きさ、溶存酸素濃度、気泡間の距離の検出結果がテーブルに存在しない場合には、テーブルに存在するデータを直線補間等することにより、検出結果に対応する気泡の成長度合いを特定するようにしてもよい。
【０１００】
また、上記実施の形態１〜３においては気泡成長速度、検出された気泡の大きさの許容最大値に対する割合および当該許容最大値に成長するまでに要する時間の全てを出力したが、これらの少なくとも１つを出力するようにしてもよい。
【０１０１】
また、上記実施の形態１〜３においては予測結果を表示器１３６にだけ表示するようにしたが、音声で知らせるようにしてもよく、予測結果のデータをナースステーションのコンピュータ装置に送信し、そのコンピュータ装置において表示したり、音声で知らせるようにしてもよい。また、ナースが所持する医療関係者用の携帯電話機に予測結果のデータをメール等で送信するようにしてもよい。
【０１０２】
また、上記実施の形態１〜３では点滴筒１５に溶存酸素濃度検出センサ１２９を配設したが、輸液ポンプ１３において溶存酸素濃度を検出してもよい。この場合には、溶存酸素濃度検出センサ１２９をプローブ形状とし、チューブに突き刺して溶存酸素濃度を検出するようにすればよい。
【０１０３】
また、上記実施の形態１〜３では、溶存酸素濃度を検出したが、炭酸ガス、窒素ガス等他の溶存酸素濃度を検出するようにしてもよい。
【０１０４】
さらに、上記実施の形態１〜３では、本願発明に係る気泡成長度合い特定装置を輸液ポンプと一体的に構成したが、別々に構成してもよい。
【産業上の利用可能性】
【０１０５】
本発明の気泡成長度合い特定装置や、この気泡成長度合い特定装置が適用される輸液ラインシステムは、特に、医療現場において用いられる医療用回路において、血管内に送液される液体中の気泡の成長速度を予測するのに適している。
【図面の簡単な説明】
【０１０６】
【図１】本願発明に係る気泡成長度合い特定装置５０の全体構成を示す機能ブロック図である。
【図２】本実施の形態１における輸液ラインシステム１の全体構成を示すブロック図である。
【図３】輸液ポンプ１３の構成を示す図である。
【図４】気泡検出器１３１の構成を示す図である。
【図５】制御部１２０およびその付近の構成を示すブロック図である。
【図６】図５に示されるテーブル１２２０の構成例を示す図である。
【図７】制御部１２０のＣＰＵ１２５１が実行する気泡成長予測処理の動作を示すフローチャートである。
【図８】表示器１３６に表示される表示例を示す図である。
【図９】本実施の形態２における輸液ラインシステム２の全体構成を示すブロック図である。
【図１０】輸液ポンプ２３の構成を示す図である。
【図１１】気泡検出器２３１の構成を示す図である。
【図１２】制御部２２０およびその付近の構成を示すブロック図である。
【図１３】図１２に示されるテーブル２２２０の構成例を示す図である。
【図１４】制御部２２０のＣＰＵ１２５１が実行する気泡成長予測処理の動作を示すフローチャートである。
【図１５】本実施の形態３における輸液ラインシステム３の全体構成を示すブロック図である。
【図１６】輸液ポンプ３３の構成を示す図である。
【図１７】制御部３２０およびその付近の構成を示すブロック図である。
【図１８】制御部３２０のＣＰＵ１２５１が実行する気泡成長予測処理の動作を示すフローチャートである。
【符号の説明】
【０１０７】
５０    気泡成長度合い特定装置
５１    気泡特定部
５２    気泡成長因子検出部
５３    因子選択部
５４    気泡成長度合い特定部
５５    提示部
５６    外部機器駆動制御部
５７    外部機器
５２０  気泡の大きさ
５２１  流動体温度
５２２  溶存酸素濃度
５２３  気泡間距離
５２４  流動体粘度
５２５  流動体速度
５４１  テーブル記憶部
５４２  予測値取得部
５４３  関数式記憶部
５４４  予測計算部
５５１  表示部
５５２  通知部
【図１】
2006087545.tif 000003
【図２】
2006087545.tif 000004
【図３】
2006087545.tif 000005
【図４】
2006087545.tif 000006
【図５】
2006087545.tif 000007
【図６】
2006087545.tif 000008
【図７】
2006087545.tif 000009
【図８】
2006087545.tif 000010
【図９】
2006087545.tif 000011
【図１０】
2006087545.tif 000012
【図１１】
2006087545.tif 000013
【図１２】
2006087545.tif 000014
【図１３】
2006087545.tif 000015
【図１４】
2006087545.tif 000016
【図１５】
2006087545.tif 000017
【図１６】
2006087545.tif 000018
【図１７】
2006087545.tif 000019
【図１８】
2006087545.tif 000020